(57)【要約】      （修正有）【課題】一個の帯留を寸法、形状の異なる帯締に兼用して使用できる帯留部品セットを設け、その活用範囲を広げて利便性を向上する。【解決手段】帯留本体８に、帯締の寸法、形状それぞれに対応する環状部を設けた差込部品５を係脱する受け部品１を取付け、帯留を着用する際に使用する帯締に対応する環状部６を設けた差込部品５を選択して、帯留本体８に取付けた受け部品１に係止自在とし、差込部品５を取替えて使用することにより一個の帯留を、寸法、形状の異なる帯締全てに兼用することを可能にして利便性を高め、経済的負担を軽減することに役立つ。また、帯留以外のブローチや髪飾りなどに使用する止具を設けた差込部品を、使用目的に合わせて選択して帯留本体に取替えて係脱することにより、帯留以外の多用途に使用することが可能になり利便性を高めることに役立つ。【選択図】図１
0003119421.tif 000002
【実用新案登録請求の範囲】
【請求項１】
帯留本体に取付ける差込部品を係脱する受け部品と、この受け部品に係脱する帯締を通す差込部品からなる帯留部品セットであって、受け部品にはその平板状の基盤に断面Ｕ字状のアームが一体化形成されていて、このアームに断面Ｕ字状の内側に向いた半円球状の係止突起を設け、もう一方の差込部品に寸法、形状の異なるそれぞれの帯締に対応する一個又は複数個の環状部と、この差込部品を受け部品に差込んだときに前述の受け部品のアームの半円球状突起に対応する係止穴を設けて、帯留本体に取付けた受け部品のアームの係止突起に、差込部品の係止穴を係脱することで、帯留本体に差込部品を係止自在としたところを特徴とする着脱式帯留部品セット。
【請求項２】
帯留以外のブローチや髪飾りなどに使用するための止具を設けた差込部品を、使用目的に合わせて選択して帯留本体に係脱することにより、帯留以外の多用途に使用自在としたところを特徴とする着脱式帯留部品セット。
【考案の詳細な説明】
【技術分野】
【０００１】  本考案は、帯留本体に取付ける差込部品を係脱する受け部品とこの受け部品に係止、係脱自在の差込部品を設けた帯留部品セットに関するものである。
【背景技術】
【０００２】  きもの、ゆかた等の和服に帯留を着用する場合、帯締を通す環状部の寸法、形状が一定且つ固定されているために、寸法、形状の異なる複数の帯締に兼用することが出来なかった。
【考案の開示】
【考案が解決しようとする課題】
【０００３】  一個の帯留を、量産販売されている６ｍｍ、９ｍｍ、１２ｍｍ、１５ｍｍ、１８ｍｍの各寸法の平組帯締と直径９ｍｍから１２ｍｍの丸組帯締の全てに兼用することは出来ず、帯締の寸法ごとに好みの帯留を探し求めるための移動は時間的、労働的負担であり、また、その全てを購入することは経済的負担も大きい。従って、帯締を通す環状部を係脱して取替え使用することにより、寸法、形状の異なる帯締全てに兼用することが可能になり前述の欠点を解決しようとするものである。
【課題を解決するための手段】
【０００４】  本考案は、帯留本体に帯締を通す環状部を設けた差込部品を係脱する受け部品を取付け、帯留を着用する際に使用する帯締の各寸法、形状に対応する環状部を設けた差込部品を選択し、帯留本体に取付けた受け金具に係止自在とすることにより問題点を解決している。
【考案の効果】
【０００５】    上述の様に、本考案の着脱式帯留部品セットは、帯留本体に差込部品を係脱する受け部品を取付けることにより、帯締の寸法、形状それぞれに対応する環状部を設けた差込部品を、使用する帯締ごとに選択して受け部品に取替えて係止することで、一個の帯留を寸法、形状の異なる帯締に兼用することが出来、しかも今後、新たに寸法、形状の異なる帯締が生産、販売されても、その帯締に対応する環状部を設けた差込部品を随時追加製造すれば対処することができるので、必要な時に、必要な差込部品を選択して購入することで、経済的負担をはじめ時間的、労働的負担も軽減することに役立つ。
さらに、帯留以外のブローチや髪飾りなどに使用する止具を設けた差込部品を、使用目的に合わせて選択して帯留本体に取替えて係脱することにより、帯留以外の多用途に使用することが可能になり利便性を高めることに役立つ。
【考案を実施するための最良の形態】
【０００６】  その平板状の基盤に一体化形成された断面Ｕ字状のアームを設け、そのアームに断面Ｕ字状の内側に向いた半円球状の係止突起を設けた受け部品を帯留本体に取付ける。もう一方この受け部品に係脱する差込部品に寸法、形状の異なるそれぞれの帯締に対応する一個又は複数個の環状部と、この差込部品を受け部品に差込んだときに前述の受け部品のアームの半円球状突起に対応する係止穴を設けて、帯留本体に取付けた受け部品のアームの係止突起に、差込部品の係止穴を係脱することで差込部品が帯留本体に係止自在となる。
【実施例】
【０００７】  以下、添付図面に従って一実施例を説明する。１は剛性、耐久性を有するりん青銅等適宜素材にて、断面Ｕ字状のアーム２とそのアーム２に断面Ｕ字状内側に突出した半円球状の係止突起３が一体化形成された受け部品で、この受け部品１を固定穴４でビス９等を使って帯留本体８に取付ける。５は真鍮等適宜素材で受け部品１のアーム２に差込んだときに、係止突起３に対応する係止穴７と帯締を通す環状部６を設けた差込部品で、この差込部品５を帯留本体８に取付けた受け金具１に係脱することにより、差込部品５が帯留本体８に係止自在となる。【０００８】  りん青銅で一体化形成された受け部品１のアーム２の剛性は、帯留着用に充分な係止力を発揮し、係止突起３の半円球状との組合せによって、差込部品５の係脱双方の作業を平易にすることにも有効に機能し、耐久性も高い。【０００９】  本考案の一実施例は上述の如き構成からなるものであるから、現在、量産販売されている６ｍｍ、９ｍｍ、１２ｍｍ、１５ｍｍ、１８ｍｍの各寸法の平組帯締と直径９ｍｍから１２ｍｍの丸組帯締それぞれの寸法、形状に対応する環状部６を設けた差込部品５を選択して受け部品１に取替えて係脱することにより、一個の帯留を前述の帯締全てに兼用して使用することが可能となる。また今後、新たに寸法、形状の異なる帯締が生産、販売されてもその帯締に対応する環状部６を設けた差込板５を随時追加製造することで対処できる。
さらに、帯留以外のブローチや髪飾りなどに使用する止具を設けた差込部品を、使用目的に合わせて選択して帯留本体に取替えて係脱することにより、帯留以外の多用途に使用することが可能になる。
【図面の簡単な説明】
【００１０】
【図１】本考案の着脱式帯留部品セットの実施例を示す斜視図ある。
【図２】本着脱式帯留部品セットの一部切欠断面図である。
【符号の説明】
【００１１】  １  受け部品
２  アーム
３  係止突起
４  固定穴
５  差込部品
６  環状部
７  係止穴
８  帯留本体
９  ビス
【図１】
0003119421.tif 000003
【図２】
0003119421.tif 000004
【手続補正書】
【提出日】平成17年9月17日(2005.9.17)
【手続補正１】
【補正対象書類名】実用新案登録請求の範囲
【補正対象項目名】請求項２
【補正方法】削除
【補正の内容】
【手続補正２】
【補正対象書類名】明細書
【補正対象項目名】０００５
【補正方法】変更
【補正の内容】
【０００５】  上述の様に、本考案の着脱式帯留部品セットは、帯留本体に差込部品を係脱する受け部品を取付けることにより、帯締の寸法、形状それぞれに対応する環状部を設けた差込部品を、使用する帯締ごとに選択して受け部品に取替えて係止することで、一個の帯留を寸法、形状の異なる帯締に兼用することが出来、しかも今後、新たに寸法、形状の異なる帯締が生産、販売されても、その帯締に対応する環状部を設けた差込部品を随時追加製造すれば対処することができるので、必要な時に、必要な差込部品を選択して購入することで、経済的負担をはじめ時間的、労働的負担も軽減することに役立つ。
【手続補正書】
【提出日】平成17年11月28日(2005.11.28)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
帯留本体に取付ける差込部品を係脱する受け部品と、この受け部品に係脱する帯締を通す差込部品からなる帯留部品セットであって、受け部品にはその平板状の基盤に断面Ｕ字状のアームが一体化形成されていて、このアームに断面Ｕ字状の内側に向いた半円球状の係止突起を設け、もう一方の差込部品に寸法、形状の異なるそれぞれの帯締に対応する一個又は複数個の環状部と、この差込部品を受け部品に差込んだときに前述の受け部品のアームの半円球状突起に対応する係止穴を設けて、帯留本体に取付けた受け部品のアームの係止突起に、差込部品の係止穴を係脱することで、帯留本体に差込部品を係止自在としたところを特徴とする着脱式帯留部品セット。